(57)【要約】      （修正有）【課題】弾性部材の形状を改善して、押圧操作を軽くするとともに、押え部材が、確実、かつスムーズに後退復元するようにしたコンパクトの蓋係止機構を提供すること。【解決手段】ケース本体Ａは、蓋体Ｂの係止片２９と係合する係止突部と、蓋係止部材Ｃと係合する傾斜面と、案内孔とを具え、蓋係止部材Ｃは、押し板３５と、側板と、押し板３５の下部に連設された摺動板３７とを具え、押し板３５の裏面に、ケース本体Ａの傾斜面と係合し、ケース本体Ａの係止突部と蓋体Ｂの係止片２９との係合を外す作動片３９を設け、摺動板３７の先端に、所定位置から中央に向かって弧状に湾曲して延び、中央が摺動板３７の先端より突出するように形成し、ケース本体Ａの案内孔に装入される弾性部材を配設した。【選択図】図１
2006305205.tif 000002
【特許請求の範囲】
【請求項１】
ケース本体と、該ケース本体に開閉自在に取着され所定の個所に係止片を設けた蓋体と、ケース本体に取着され開蓋操作する蓋係止部材とからなるコンパクト容器において、
ケース本体は、蓋体の係止片と係合する係止突部と、蓋係止部材と係合する傾斜面と、案内孔とを具え、
蓋係止部材は、押し板と、側板と、押し板の下部に連設された摺動板とを具え、
押し板の裏面に、ケース本体の傾斜面と係合し、ケース本体の係止突部と蓋体の係止片との係合を外す作動片を設け、
摺動板の先端に、所定位置から中央に向かって弧状に湾曲して延び、中央が摺動板の先端より突出するように形成し、ケース本体の案内孔に装入される弾性部材を配設したことを特徴とするコンパクトの蓋係止機構。
【請求項２】
弾性部材が、摺動板先端の左右の所定位置より中央に向かって湾曲する２つの弾性湾曲片により形成されていることを特徴とする請求項１記載の蓋係止部材。
【請求項３】
弾性部材が、摺動板先端の左右の所定位置より中央に向かって湾曲する湾曲部と、該湾曲部の各先端を連結する接合部とから形成され、弾性部材の接合部先端、または、ケース本体の案内孔の奥壁面に突起を形成したことを特徴とする請求項１記載のコンパクトの蓋係止機構。
【請求項４】
摺動板先端の弾性部材との連設個所の内側に、弧状の湾曲凹部を形成したことを特徴とする請求項２、３記載の蓋係止部材。
【発明の詳細な説明】
【技術分野】
【０００１】
本発明は、コンパクト、とくにコンパクトの蓋係止機構に関する。
【背景技術】
【０００２】
ケース本体と、該ケース本体に開閉自在に取着され、所定個所に係止片を設けた蓋体と、ケース本体に装着された蓋体の係止機構とを備え、係止機構が、ケース本体に配設された係止部材と、ケース本体に摺動自在に装着された押え部材とからなるコンパクトの蓋係止機構であって、押え部材（２０）の押圧後、押え部材がスムーズに後退復元するように、押え部材の摺動板（２３）の両側端から延びる一対の屈曲板（２７）と接合板（２８）とからなる弾性部材（２９）を連接し、ケース本体に設けた案内孔（１７）の底部に弾接するようにしたコンパクトの蓋係止機構は、従来より知られている（例えば、特許文献１参照）。
【特許文献１】特開平１１−９９０１５号公報
【発明の開示】
【発明が解決しようとする課題】
【０００３】
しかしながら、上記従来の蓋係止機構では、押え部材（２０）の押圧時に弾性部材（２９）の屈曲板（２７）を大きく屈曲させ、案内孔の（１７）の底部に接合させるため、押圧操作と弾性部材の復元がスムーズに行われないことがあった。
【０００４】
本発明は、上記問題を解決することを課題として、弾性部材の形状を改善して、押圧操作を軽くするとともに、押え部材が、確実、かつスムーズに後退復元するようにしたコンパクトの蓋係止機構を提供することを目的とする。
【課題を解決するための手段】
【０００５】
本発明は、上記の課題を解決するため、コンパクトの蓋係止機構として、ケース本体と、該ケース本体に開閉自在に取着され所定の個所に係止片を設けた蓋体と、ケース本体に取着され開蓋操作する蓋係止部材とからなるコンパクト容器において、ケース本体は、蓋体の係止片と係合する係止突部と、蓋係止部材と係合する傾斜面と、案内孔とを具え、蓋係止部材は、押し板と、側板と、押し板の下部に連設された摺動板とを具え、押し板の裏面に、ケース本体の傾斜面と係合し、ケース本体の係止突部と蓋体の係止片との係合を外す作動片を設け、摺動板の先端に、所定位置から中央に向かって弧状に湾曲して延び、中央が摺動板の先端より突出するように形成し、ケース本体の案内孔に装入される弾性部材を配設したことを特徴とする構成を採用する。
【０００６】
蓋係止部材の実施例として、弾性部材が、摺動板先端の左右の所定位置より中央に向かって湾曲する２つの弾性湾曲片により形成されていることを特徴とする構成、または、弾性部材が、摺動板先端の左右の所定位置より中央に向かって湾曲する湾曲部と、該湾曲部の各先端を連結する接合部とから形成され、弾性部材の接合部先端、または、ケース本体の案内孔の奥壁面に突起を形成したことを特徴とする構成、摺動板先端の弾性部材との連設個所の内側に、弧状の湾曲凹部を形成したことを特徴とする構成を採用する。
【発明の効果】
【０００７】
蓋係止部材の摺動板の所定位置に連設され、連設部から円滑に中央方向に、弧状に湾曲する薄肉の弾性板によって弾性部材を形成しているから、押し板の押圧操作が軽くなり、蓋係止部材をスムーズに操作することができるようになった。
【発明を実施するための最良の形態】
【０００８】
次に、本発明のコンパクト容器の実施形態について、実施例をあげ、図面を参照して説明する。
【実施例１】
【０００９】
本発明の第１実施例について説明する。
図１において、Ａは内ケースＡ１と外ケースＡ２とからなるケース本体、Ｂは蓋体、Ｃはケース本体Ａに装着された蓋係止部材である。
【００１０】
図１〜３に示すように、内ケースＡ１は、底壁１と周壁２、および周壁２から連設されるフランジ部３と、該フランジ部３の周縁に垂設された外周壁とからなる周壁部４を具えており、ケース内には、化粧料などの収納部が設けられている。
周壁部４は、前周壁部４ａと後周壁部４ｂと側周壁部４ｃとからなり、前周壁部４ａには、蓋係止部材Ｃを装着する切欠部５が設けられている。
後周壁部４ｂには、切込み部６が設けられ、切込み部６の両側部には、蓋体Ｂを軸ピンにより開閉自在として枢支するように、軸受部７ａ、７ｂが周壁部４の下部に周壁２より突出して連設されている。
【００１１】
図３に示すように、切欠部５の内側面中央には、上方に蓋体Ｂを係止する係止突部８、下方に蓋係止部材Ｃと係合する係合片９が配設されている。
係合片９には、先端を突出部１０とした傾斜面１１が設けられ、突出部１０の下方には、周壁２の内部まで穿設された案内孔１２が設けられている。
案内孔１２は、奥壁面１２ａと、側壁面１２ｂとからなっている。
【００１２】
切欠部５の両側面１３には、案内孔１２の突出部１０に対応する位置を係止段部とした凹部１４が穿設されている。
【００１３】
図１、２に示すように、外ケースＡ２は、底壁１５と、内ケースＡ１の周壁部４の下面と係合する周壁１６とから形成され、後周壁部１６ａ側には、内ケースＡ１の軸受部７の外側に係合する切込み部１７が穿設されている。
【００１４】
図３に示すように、前周壁部１６ｂ中央部には、周壁１６を切欠いた下面１８と、側面１９とを具えた切欠部２０が設けられ、側面１９の凹部１４に対応する位置には、凹部２１が穿設されている。
切欠部２０は、内ケースＡ１の切欠部５と係合し、蓋係止部材Ｃの操作を案内するようになっている。
【００１５】
図１、２に示すように、蓋体Ｂは、頂板２５と、頂板２５の周縁から垂設された周壁２６とから形成されており、一側に、内ケースＡ１の軸受部７ａ、７ｂに係合し、ケース本体Ａの軸ピンに枢支される取付片２７が垂設され、反対側には、内方に突出し、内ケースＡ１の切欠部５の係止突部８に係合する係止突部２８が設けられた係止片２９が垂設されている。
頂板２５の内面には、鏡３０が装着されている。
【００１６】
図４に示すように、蓋係止部材Ｃは、押し板３５と、押し板３５の両側に設けた側板３６と、押し板３５下端に連設された摺動板３７とを具えている。
押し板３５の裏面中間部には、水平方向に延びる可撓板３８が突設されており、その先端には、作動片３９が取着されている。
【００１７】
側板３６の外側面には、内ケースＡ１の両側面１３の凹部１４と、外ケースＡ２の両側面１９の凹部２１に嵌挿され、蓋係止部材Ｃの後退位置を規制する係止突部４０ａ、４０ｂが突設されている。
【００１８】
摺動板３７の先端には、両側より中央側に位置し、先端部が内方に向かって弧状に湾曲する薄肉の弾性湾曲片４１ａ、４１ｂが連設されており、連設部の内側には、弾性湾曲片４１ａ、４１ｂの内側縁から連なる弧状の湾曲凹部４２ａ、４２ｂが設けられ、摺動板３７先端には、中央部に突部４３が形成されている。
弾性湾曲片４１ａ，４１ｂの先端縁、および側端縁は、内ケースＡ１係合片９の案内孔１２内方の奥壁面１２ａ、および側壁面１２ｂに当接するように形成されている。
【００１９】
次に、本実施例コンパクト容器の使用態様と作用効果について説明する。
コンパクト容器の組立方法は、まず、蓋体Ｂをケース本体Ａに取着する。
その取着は、内ケースＡ１の後周壁部４ｂの切込み部６に蓋体Ｂの取付片２７を係合し、内ケースＡ１の軸受部７ａ、７ｂの外側面から軸ピンを嵌挿して装着することにより、蓋体Ｂを内ケースＡ１に枢支させる。
【００２０】
次に、内ケースＡ１の下部に外ケースＡ２を装着する。
その際、内ケースＡ１の軸受部７ａ、７ｂの外側面に、外ケースＡ２の切込み部１７が係合して覆われることにより、内ケースＡ１の軸ピン孔および軸ピンを、ケース本体Ａの外部から隠すことができる。                                        
【００２１】
最後に、ケース本体Ａに蓋係止部材Ｃを装着する。
その際、蓋係止部材Ｃの摺動板３７下面が外ケースＡ２の切欠部２０の下面１８上面に当接し、摺動するとともに、摺動板３７の弾性湾曲片４１ａ，４１ｂが、内ケースＡ１の係合片９の案内孔１２内に装入される。
また、蓋係止部材Ｃの作動片３９の先端下部が、内ケースＡ１の係合片９の傾斜面１１の下方に当接される。
【００２２】
次に、本実施例のコンパクト容器の使用にあたっては、蓋体Ｂを閉蓋させるときには、まず、蓋体Ｂを軸ピンを支点に廻動させ、押圧すると、図１、５に示すように、蓋体Ｂの係止片２９の係止突起２８と内ケースＡ１の係合突部８が係合し、蓋体Ｂは、ケース本体Ａに係止され、閉蓋状態を維持する。
その際、蓋係止部材Ｃは、外方の後退位置に位置し、押し板３５外側面は、内ケースＡ１の周壁部４外周面と一致した状態にある。
【００２３】
蓋体Ｂを開蓋させるときには、図６に示すように、蓋係止部材Ｃの押し板３５を手指等で内方に押圧することにより、作動片３９が内ケースＡ１の係合片９の傾斜面１１に沿って上昇し、蓋体Ｂの係止片２９の下面に係合し、係止片２９を押し上げ、係止突部２８が内ケースＡ１の係止突部８を乗り越えるようにして係合を外し、蓋体Ｂを開蓋する。
その際、可撓板３８は、屈曲され、可撓板３８は全体にわたって湾曲される。
【００２４】
また、蓋係止部材Ｃの摺動板３７先端に連設した弾性湾曲片４１ａ、４１ｂの先端が、内ケースＡ１の係合片９の案内孔１２の奥壁面１２ａに圧接され、撓んで変形される。
その際、弾性湾曲片４１ａ、４１ｂは、湾曲凹部４２ａ、４２ｂにより応力吸収効果が付与される。
【００２５】
蓋係止部材Ｃの押し板３５の押圧を外すと、可撓板３８の湾曲が復元されることによって、作動片３９が内ケースＡ１の傾斜面１１に押しつけ、傾斜面１１により作動片３９を後退させるように作用し、さらに、弾性湾曲片４１ａ、４１ｂの変形が復元し、そのばね作用によって、内ケースＡ１の案内孔１２の奥壁面１２ａとの間で弾発力が働き、押し板３５が外方に押し出され、元の後退位置に戻される。
【実施例２】
【００２６】
次に、第１実施例の蓋係止部材の弾性部材の形状と、それにともなうケース本体の案内孔の形状を変えた第２実施例について説明する。
蓋係止部材と、それに伴うケース本体の内ケースの案内孔以外は実施例１と同様であるので、同一の構成については、同一の符号をもって図示して説明を簡略にし、以下、相違点を中心に説明する。
【００２７】
図７において、Ａは内ケースＡ１と外ケースＡ２とからなるケース本体、Ｃは蓋係止部材である。
前記第１実施例と同様に、内ケースＡ１の係止片９の下側には、案内孔１２が設けられており、案内孔１２の奥壁面１２ａの中央には、突起５０が突設されている。
【００２８】
蓋係止部材Ｃは、第１実施例と同様に、押し板３５と、押し板３５の両側に設けた側板３６と、押し板３５下端に連設された摺動板３７とを具えている。
【００２９】
摺動板３７の先端には、両側より中央側に、内方に延びる湾曲部５５ａ、５５ｂと、該湾曲部５５ａ，５５ｂの双方の先端部を結ぶ接合部５６とからなる薄肉の弾性部材５７が連設され、連設部の内側には、湾曲部５５ａ、５５ｂの内側縁から連なる弧状の湾曲凹部５８ａ、５８ｂが形成されている。
弾性部材５７の接合部５６は、内ケースＡ１の係合片９下側の案内孔１２の突起５０に当接するように形成されている。
【００３０】
次に、本実施例の作用効果について説明する。
蓋係止部材Ｃの押圧にあたっては、図７（ｂ）に示すように、蓋係止部材Ｃの摺動板３７先端に連設した弾性部材５７の接合部５６先端が、内ケースＡ１の案内孔１２内の突起５０に圧接され、中央部が二重に大きく撓んで変形され、弾性部材５７の撓み量は大きくなる。
【００３１】
蓋係止部材Ｃの押し板３５の押圧を外したときには、弾性部材５７の復元にあたって、突起５０による撓み量が復元され、その復元力が加わって、蓋係止部材Ｃと案内孔１２の奥壁面１２ａおよび突起５０との間に弾発力が働き、押し板３５が外方に押出され、元の後退位置に戻される。
【００３２】
その他の作用効果として、第１実施例と同様の作用効果を得ることができる。
【００３３】
上記実施例では、内ケースＡ１の案内孔１２の奥壁面１２ａに突起５０を設けたが、図８に示すように、蓋係止部材Ｃの弾性部材５７の接合部５６中央部に、突起６０を設けてもよい。
この場合、蓋係止部材Ｃの押し板３５を押圧した時には、図８（ｂ）に示すように、蓋係止部材Ｃの弾性部材５７の突起６０先端が、内ケースＡ１の案内孔１２内の奥壁面１２ａに圧接され、弾性部材５７の中央部が二重に大きく撓んで変形させることができ、上記実施例同様の効果が発揮できる。
【００３４】
前記各実施例では、コンパクト容器を角形のコンパクト容器としているが、コンパクト容器の形状については、角形に限定されず、楕円形、円形のコンパクト容器であってもよい。
【００３５】
前記各実施例では、ケース本体を、内ケースと外ケースとから形成したが、内ケースと外ケースを一体成形してケース本体としてもよい。
【産業上の利用可能性】
【００３６】
本発明のコンパクト容器は、蓋係止部材の摺動板の先端にばね作用を有する弾性湾曲片、または、弾性部材とそれに係合する突起を形成し、蓋係止部材を押圧操作したときに、弾性湾曲片、または、弾性部材のばね作用によって、蓋係止部材が、後退位置によりスムーズに確実に戻されるようになったので、種々の形状のコンパクトに広く利用できるようになった。
【図面の簡単な説明】
【００３７】
【図１】本発明第１実施例のコンパクト容器を説明する図で、（ａ）は断面図、（ｂ）は要部拡大図である。
【図２】蓋体を直角に開いたときのコンパクト容器の上面図である。
【図３】内ケースの蓋係止部の説明図で、（ａ）は上面図、（ｂ）は断面図、（ｃ）は側面図である。
【図４】蓋係止部材の説明図で、（ａ）は上面図、（ｂ）は側面図、（ｃ）は断面側面図である。
【図５】押圧前の蓋係止部材の状態を説明する図で、（ａ）は断面図、（ｂ）は上面図である。
【図６】押圧時の蓋係止部材の状態を説明する図で、（ａ）は断面図、（ｂ）は上面図である。
【図７】本発明第２実施例の蓋係止部材の説明する図で、（ａ）は押圧前の状態を示す上面図、（ｂ）は押圧時の状態を示す上面図である。
【図８】第２変形例の説明する図で、（ａ）は押圧前の状態を示す上面図、（ｂ）押圧時の状態を示す上面図である。
【符号の説明】
【００３８】
Ａ        ケース本体
Ａ１      内ケース
Ａ２      外ケース
Ｂ        蓋体    
Ｃ        蓋係止部材
１        底壁     
２        周壁
３        フランジ部
４        周壁部
４ａ      前周壁部
４ｂ      後周壁部
４ｃ      側周壁部
５、２０  切欠部
６、１７  切込み部
７ａ、７ｂ  軸受部
８、２８、４０ａ、４０ｂ  係止突部
９        係合片
１０      突出部
１１      傾斜面
１２      案内孔
１２ａ    奥壁面
１２ｂ    側壁面
１３      両側面
１４、２１  凹部
１５      底壁
１６、２６  周壁
１６ａ    後周壁部
１６ｂ    前周壁部
１８      下面
１９      側面
２５      頂壁
２７      取付片
２９      係止片
３０      鏡
３５      押し板
３６      側板
３７      摺動板
３８      可撓板
３９      作動片
４１ａ、４１ｂ  弾性湾曲片
４２ａ、４２ｂ、５８ａ、５８ｂ  湾曲凹部
４３      突部
５０、６０  突起
５５ａ、５５ｂ  湾曲部
５６      接合部
５７      弾性部材
【図１】
2006305205.tif 000003
【図２】
2006305205.tif 000004
【図３】
2006305205.tif 000005
【図４】
2006305205.tif 000006
【図５】
2006305205.tif 000007
【図６】
2006305205.tif 000008
【図７】
2006305205.tif 000009
【図８】
2006305205.tif 000010